(57)【要約】【課題】  複数枚のフレキシブル配線材が積層されたフレキシブルケーブルの配線部の端末を他の回路に簡単な作業で接続できるようにする。【解決手段】  複数枚のフレキシブル配線材１０Ａ，１０Ｂが積層された配線部ＷＰの端末に変換コネクタＴＣを接続する。変換コネクタＴＣは変換端子４０，５０とこれを保持するハウジング２０，３０とを備える。変換端子４０は、フレキシブル配線材１０Ａ，１０Ｂの各導体１２に接続可能な形状の第１接続部４２，５２と、相手方コネクタの端子に嵌合可能な第２接続部４４，５４とを両端に有し、各フレキシブル配線材１０の導体１２の配列に対応する配列で前記ハウジング２０，３０に保持される。【選択図】      図２
2006164797.tif 000002
【特許請求の範囲】
【請求項１】
複数本の偏平な導体がその幅方向と平行な方向に並べられてこれらの導体を被覆する絶縁層により一体化された複数枚のフレキシブル配線材がその厚み方向に間隔をおいて積層された配線部を有するフレキシブルケーブルの当該配線部の端部に設けられ、かつ、相手方のコネクタに結合可能な変換コネクタであって、前記各フレキシブル配線材の各導体に接続可能な形状の第１接続部と前記相手方コネクタの端子に嵌合可能な第２接続部とを両端に有する複数の変換端子と、これらの変換端子を前記配線部における各フレキシブル配線材の導体の配列に対応する配列で保持するハウジングとを備えることを特徴とするフレキシブルケーブル用変換コネクタ。
【請求項２】
請求項１記載のフレキシブルケーブル用変換コネクタにおいて、前記各変換端子の第１接続部は前記フレキシブル配線材の導体をその厚み方向の両側から挟持する一対の挟持部を有することを特徴とするフレキシブルケーブル用変換コネクタ。
【請求項３】
請求項２記載のフレキシブルケーブル用変換コネクタにおいて、前記挟持部の少なくとも一方が前記フレキシブル配線材の導体の厚み方向に弾性的に撓み変形可能なばね挟持部であることを特徴とするフレキシブルケーブル用変換コネクタ。
【請求項４】
請求項１〜３のいずれかに記載のフレキシブルケーブル用変換コネクタにおいて、前記ハウジングは、前記各変換端子を保持する端子保持部と、前記各フレキシブル配線材のうち前記第１接続部に接続される部分以外の部分を保持する配線材保持部とに分割されており、これら端子保持部と配線材保持部とを結合することにより当該配線材保持部に保持されている各フレキシブル配線材の各導体が前記各変換端子の第１接続部に接続されるように構成されていることを特徴とするフレキシブルケーブル用変換コネクタ。
【請求項５】
請求項４記載のフレキシブルケーブル用変換コネクタにおいて、前記配線材保持部は、前記フレキシブル配線材を係止する係止位置と当該係止位置から待避する待避位置とに変位可能な配線材係止部を有し、前記端子保持部は、この端子保持部と前記配線材保持部とが結合されるのに伴って前記配線材係止部を前記係止位置に拘束する拘束部を有することを特徴とするフレキシブルケーブル用変換コネクタ。
【請求項６】
請求項５記載のフレキシブルケーブル用変換コネクタにおいて、前記各フレキシブル配線材の端末に補強板が積層され、この補強板の配線材幅方向両端部に被係止部が形成される一方、前記配線材係止部は前記両被係止部に対して前記配線材幅方向の両外側から係合する形状を有し、前記端子保持部の拘束部は前記配線材係止部を外側から拘束するものであることを特徴とするフレキシブルケーブル用変換コネクタ。
【請求項７】
請求項４〜６のいずかに記載のフレキシブルケーブル用変換コネクタにおいて、前記配線材保持部は、前記端子保持部と完全結合される完全結合位置とこの完全結合位置よりも手前側の位置であって当該配線材保持部に保持されるフレキシブル配線材と前記端子保持部に保持される変換端子とが離間する仮結合位置との間で移動可能となるように前記端子保持部に連結されていることを特徴とするフレキシブルケーブル用変換コネクタ。
【請求項８】
複数本の導体が平面状に並べられてこれらの導体を被覆する絶縁層により偏平な形状に一体化された複数枚のフレキシブル配線材からなり、これらのフレキシブル配線材がその厚み方向に間隔をおいて積層された配線部と、この配線部の少なくとも一方の端部に設けられる請求項１〜７のいずれかに記載の変換コネクタとを備え、この変換コネクタの各変換端子の第１接続部に前記各フレキシブル配線材の各導体が接続されることを特徴とするフレキシブルケーブル。
【発明の詳細な説明】
【技術分野】
【０００１】
本発明は、複数枚のフレキシブル配線材が積層された配線部を有するフレキシブルケーブルに用いられる変換コネクタに関するものである。
【背景技術】
【０００２】
配線部が可撓性を有するフレキシブルケーブルとして、複数枚の薄肉のフレキシブル配線材（例えば複数本の偏平な導体がその幅方向に並べられて絶縁層により被覆されたフレキシブルフラットケーブル）がその厚み方向に積層されることにより前記配線部を構成するものが知られている。このようなフレキシブルケーブルによれば、前記フレキシブル配線材の使用により配線部の可撓性を確保しながら、当該フレキシブル配線材を複数枚積層して使用することにより、導体の本数を増やすことが可能になる。
【０００３】
例えば特許文献１には、前記配線部がキャタピラ状の保護部材に挿通されたフレキシブルケーブルであって、車体とスライドドアとの間に配索されたものが、開示されている。
【特許文献１】特開２００２−４２９２４号公報
【発明の開示】
【発明が解決しようとする課題】
【０００４】
前記特許文献１には、複数枚のフレキシブル配線材が積層されたケーブル配線部の端末を他の回路に接続するための具体的手段について特に開示されていない。前記各フレキシブル配線材の導体は一般の絶縁電線における導体とは異なる形状を有しているため、当該導体を他の回路にそのまま接続することは困難である。しかも、当該フレキシブル配線材が複数枚積層されているため、各フレキシブル配線材の導体端末を１枚ずつ個別に外部回路に接続するとなると多大な手間が生ずる。
【０００５】
本発明は、このような事情に鑑み、複数枚のフレキシブル配線材が積層されたフレキシブルケーブルの配線部の端末を他の回路に簡単な作業で接続できるようにすることを目的とする。
【課題を解決するための手段】
【０００６】
前記課題を解決するための手段として、本発明は、複数本の偏平な導体がその幅方向と平行な方向に並べられてこれらの導体を被覆する絶縁層により一体化された複数枚のフレキシブル配線材がその厚み方向に間隔をおいて積層された配線部を有するフレキシブルケーブルの当該配線部の端部に設けられ、かつ、相手方のコネクタに結合可能な変換コネクタであって、前記各フレキシブル配線材の各導体に接続可能な形状の第１接続部と前記相手方コネクタの端子に嵌合可能な第２接続部とを両端に有する複数の変換端子と、これらの変換端子を前記配線部における各フレキシブル配線材の導体の配列に対応する配列で保持するハウジングとを備えるものである。
【０００７】
この変換コネクタによれば、当該変換コネクタを相手方コネクタに結合してこの相手方コネクタの各端子に各変換端子の第２接続部を嵌合するだけの簡単なコネクタ結合操作のみで、前記各フレキシブル配線材の各導体を前記変換端子及びこれに嵌合される相手方コネクタの端子を介して外部回路に一括接続することが可能になる。
【０００８】
ここで、各変換端子の具体的な形状は問わないが、これら変換端子の第１接続部としては、前記フレキシブル配線材の導体をその厚み方向の両側から挟持する一対の挟持部を有するものが、好適である。この構成によれば、前記フレキシブル配線材の導体が特殊な形状（例えば偏平な形状）であっても当該導体を不都合なく変換端子に電気的に接続することが可能になる。
【０００９】
この場合、前記挟持部の少なくとも一方が前記フレキシブル配線材の導体の厚み方向に撓み変形可能なばね挟持部であれば、その弾発力を利用して当該ばね挟持部とフレキシブル配線材の導体との好適な接触圧を得ることができる。
【００１０】
前記ハウジングは、その全体が一体化されたものでもよいが、前記各変換端子を保持する端子保持部と、前記各フレキシブル配線材のうち前記第１接続部に接続される部分以外の部分を保持する配線材保持部とに分割されており、これら端子保持部と配線材保持部とを結合することにより当該配線材保持部に保持されている各フレキシブル配線材の各導体が前記各変換端子の第１接続部に接続されるように構成されているものであれば、さらに好ましい。
【００１１】
この構成によれば、前記端子保持部から配線材保持部を分離した状態（完全結合していない状態）で当該配線材保持部に各フレキシブル配線材の所定部分（第１接続部に接続される部分以外の部分）を保持させておき、その後に当該配線材保持部を端子保持部に結合するだけの簡単な操作で、当該配線材保持部に保持されている各フレキシブル配線材の導体を端子保持部側の各変換端子の第１接続部に一括接続することが可能になる。
【００１２】
この場合において、前記配線材保持部が、前記フレキシブル配線材を係止する係止位置と当該係止位置から待避する待避位置とに変位可能な配線材係止部を有し、前記端子保持部が、この端子保持部と前記配線材保持部とが結合されるのに伴って前記配線材係止部を前記係止位置に拘束する拘束部を有する構成とすれば、前記端子保持部が前記配線材保持部に完全結合されていない状態で前記各配線材係止部の待避位置への待避を利用しながら当該配線材係止部とフレキシブル配線材とを容易に係合することができ、しかも、この状態で当該配線材保持部を端子保持部に結合すれば、この端子保持部の拘束部が前記配線材係止部を前記係止位置に拘束することによって当該配線材係止部による各フレキシブル配線材の係止をより確実なものにすることができる。
【００１３】
前記フレキシブル配線材の具体的な係止構造としては、前記各フレキシブル配線材の端末に補強板が積層され、この補強板の配線材幅方向両端部に被係止部が形成される一方、前記配線材係止部は前記両被係止部に対して前記配線材幅方向の両外側から係合する形状を有し、前記端子保持部の拘束部は前記配線材係止部を外側から拘束するものが、好適である。
【００１４】
この構成によれば、フレキシブル配線材に配線される各導体には影響を与えずにその係止をすることができ、しかも、フレキシブル配線材端末の補強板の強さを利用して係止強度を高めることができる。
【００１５】
前記配線材保持部は、前記端子保持部から完全に分離されたものでもよいが、前記端子保持部と完全結合される完全結合位置とこの完全結合位置よりも手前側の位置であって当該配線材保持部に保持されるフレキシブル配線材と前記端子保持部に保持される変換端子とが離間する仮結合位置との間で移動可能となるように前記端子保持部に連結されているものであれば、当該配線材保持部と端子保持部の一方を紛失するおそれがなく、しかも、これら配線材保持部と端子保持部との結合作業が容易になって、ハウジングの取扱いが便利になる。
【００１６】
また本発明は、複数本の導体が平面状に並べられてこれらの導体を被覆する絶縁層により偏平な形状に一体化された複数枚のフレキシブル配線材からなり、これらのフレキシブル配線材がその厚み方向に間隔をおいて積層された配線部と、この配線部の少なくとも一方の端部に設けられる前記変換コネクタとを備え、この変換コネクタの各変換端子の第１接続部に前記各フレキシブル配線材の各導体が接続されるフレキシブルケーブルである。
【００１７】
このフレキシブルケーブルによれば、複数枚のフレキシブル配線材の積層により、配線部の可撓性及び導体総本数を十分に確保しながら、その端末に設けられた変換コネクタを利用して前記配線部を外部回路に簡単な作業で接続することが可能になる。
【発明の効果】
【００１８】
以上のように、本発明によれば、複数枚のフレキシブル配線材の積層により可撓性及び十分な導体総本数が確保された配線部を簡単な操作で外部回路に容易に接続することができる効果がある。
【発明を実施するための最良の形態】
【００１９】
本発明の好ましい実施の形態を図面に基づいて説明する。
【００２０】
図１に示すフレキシブルケーブルは、配線部ＷＰと、その両側端末にそれぞれ設けられた変換コネクタＴＣとを備えている。
【００２１】
前記配線部ＷＰは、複数枚の薄肉のフレキシブル配線材がその厚み方向に間隔をおいて積層されたもので、これらのフレキシブル配線材の中間部分は保護用の配線材カバーＷＣに挿通されている。この配線材カバーＷＣは、可撓性を有するようにキャタピラ状あるいは蛇腹状に形成されている。
【００２２】
図例では、前記配線部ＷＰが８枚のフレキシブル配線材を含んでおり、これらのフレキシブル配線材が４枚ずつの２つのグループに分けられ、各グループについて前記変換コネクタＴＣが設けられている。以下、図１手前側のグループについてその構造を開示する。
【００２３】
このグループには、図２にも示されるように、小電流用の２枚のフレキシブル配線材１０Ａと、その両外側に積層される大電流用の２枚のフレキシブル配線材１０Ｂとが含まれている。
【００２４】
各フレキシブル配線材１０Ａ，１０Ｂは、図６（ａ）（ｂ）に示すように、複数本の導体１２と、これら導体１２を表裏両側から被覆する絶縁層１３，１４とを含んでいる。各導体１２は偏平な断面形状を有し、その幅方向に平面状に配列された状態で、絶縁層１３，１４同士の間に挟み込まれ、かつ、各導体１２同士の間に前記絶縁層１４が介在している。ここで、小電流用のフレキシブル配線材１０Ａは幅狭の６本の導体１２を含み、大電流用のフレキシブル配線材１０Ｂは幅広の２本の導体１２を含んでいる。
【００２５】
図２及び図４（ａ）（ｂ）に示すように、各フレキシブル配線材１０Ａ，１０Ｂの端末においては、その表側の絶縁層１３が局所的に除去されて導体１２が露出しており、その反対側（裏側）に厚みの大きな補強板１６が積層されて接着されている。
【００２６】
さらに、各補強板１６及びこの補強板１６に重なる配線材本体の幅方向両端部（図１では上下端部）には、その厚み方向に貫通する切欠１８が形成されている。これらの切欠１８は、後述の配線材保持部３０により係止される被係止部を構成している。
【００２７】
前記変換コネクタＴＣは、前記の４枚のフレキシブル配線材１０Ａ，１０Ｂの端末に共通して接続され、当該フレキシブル配線材１０Ａ，１０Ｂからなる配線部ＷＰを外部回路に接続する媒体としての役割を果たす。この変換コネクタＴＣの具体的構造を図２〜図１１に示す。
【００２８】
この変換コネクタＴＣは、図２に示すように、複数本の小電流用の変換端子４０と、複数本の大電流用の変換端子５０と、これらの変換端子４０，５０を一括保持するハウジングとを備えている。このハウジングは、前記各変換端子４０，５０を保持する端子保持部２０と、前記各フレキシブル配線材１０Ａ，１０Ｂの端末をまとめて保持する配線材保持部３０とに分割されている。
【００２９】
前記各変換端子４０の一方の端部は前記フレキシブル配線材１０Ａの各導体１２に接続される第１接続部４２とされ、他方の端部は図略の相手方コネクタ（すなわちこの変換コネクタＴＣと結合されるコネクタ）のコネクタ端子に嵌合される第２接続部４４とされている。
【００３０】
前記第１接続部４２は、図３及び図４（ａ）に示すように、フレキシブル配線材１０Ａの端末を表裏両側から挟み込む一対の挟持片４２ａ，４２ａを有している。各挟持片４２ａ，４２ａの端部には、内向きに突出する挟持部４２ｂが形成され、これら挟持部４２ｂ同士の間に前記フレキシブル配線材１０Ｂの端末を挟みこんだ状態でその一方の挟持部４２ｂが露出状態の導体１２に接触して当該導体１２と電気的に導通できるようになっている。
【００３１】
これに対して前記第２接続部４４は、図略の相手方コネクタに設けられた端子の雌型接触部に嵌入可能なタブ、すなわち雄型接触部となっている。
【００３２】
同様に、前記各変換端子５０の一方の端部は前記フレキシブル配線材１０Ｂの各導体１２に接続される第１接続部５２とされ、他方の端部は図略の相手方コネクタ（すなわちこの変換コネクタＴＣと結合されるコネクタ）のコネクタ端子に嵌合される第２接続部５４とされている。
【００３３】
前記第１接続部５２は、図３及び図４（ｂ）に示すように、フレキシブル配線材１０Ｂの端末を表裏両側から挟み込む一対の挟持壁５２ａ，５２ａを有している。各挟持壁５２ａは、その先端部が内側に折り返されて内向きに山型のばね挟持片５２ｂ，５２ｂが形成された構造を有しており、これらばね挟持片５２ｂ，５２ｂの弾性的な撓み変形を伴いながら当該ばね挟持片５２ｂ，５２ｂ同士の間に前記フレキシブル配線材１０Ｂの端末を挟みこんだ状態でその一方の挟持部５２ｂがその弾性復帰力に相当する圧力で露出状態の導体１２に接触して当該導体１２と電気的に導通できるようになっている。
【００３４】
これに対して前記第２接続部５４は、前記第１接続部４４と同様、図略の相手方コネクタに設けられた端子の雌型接触部に嵌入可能なタブ、すなわち雄型接触部となっている。
【００３５】
前記ハウジングの端子保持部２０は、端子保持壁２２と、この端子保持壁２２の前後両側に形成される角筒状のフード２４，２６とを一体に有している。
【００３６】
前記各端子保持壁２２には、前記各変換端子４０，５０がその軸方向に貫通しており、この貫通状態で当該各変換端子４０，５０の中間部（第１接続部４２，５２と第２接続部４４，５４との間の部位）が当該端子保持壁２２に保持されている。
【００３７】
これら変換端子４０，５０の配列は、前記各フレキシブル配線材１０Ａ，１０Ｂにおける各導体の配列に対応する配列とされている。具体的には、図５に示すように水平方向に積層される４枚のフレキシブル配線材１０Ａ，１０Ｂ，１０Ｂ，１０Ａに対応して縦４列に前記変換端子４０，５０が配列されており、左右両外側の２列では６個の変換端子４０の第１接続部４２が上下方向の一直線状に並ぶように配列され、その内側の２列では２個の変換端子５０の第１接続部５２が上下方向の一直線状に並ぶように配列されている。
【００３８】
なお、図例では変換端子４０の第１接続部４２と第２接続部４４とが左右にオフセットされており、前記第１接続部４２が縦方向に整列された状態で各第２接続部４４が左右２列に振り分けられるレイアウトとなっている（図２及び図５参照）。
【００３９】
端子保持部２０のフード２４は、前記各変換端子４０，５０の第１接続部４２，５２を保護する役割を担うとともに、後述のように配線材保持部３０が連結される連結部としての役割を担う。また、端子保持部２０のフード２６は、前記各変換端子４０，５０の第２接続部４４，５４を保護する役割を担うとともに、相手方コネクタのハウジングと嵌合する嵌合部としての役割を担う。
【００４０】
配線材保持部３０は、前記端子保持部２０の正面形状（各変換端子４０，５０の端子軸方向から見た形状）に対応する正面形状をもつブロック体として形成され、このブロック体を前記端子軸方向と平行な方向に貫通する２本の配線材挿入溝３２Ａ及び２本の配線材挿入溝３２Ｂが前記フレキシブル配線材１０Ａ，１０Ｂの配列に対応する配列で縦４列に形成されている。
【００４１】
具体的に、前記配線材挿入溝３２Ａはフレキシブル配線材１０Ａが挿通可能な形状を有するものであり、左右両外側の位置に形成されている。一方、配線材挿入溝３２Ｂはフレキシブル配線材１０Ｂが挿通可能な形状を有するものであり、両配線材挿入溝３２Ａ同士の間の位置に形成されている。
【００４２】
また、図３及び図４（ａ）に示すように、前記配線材挿入溝３２Ａの奥側部分（変換端子４０側の部分）には、その変換端子４０の第１接続部４２が挿入可能な左右方向の端子挿入溝３２ａが形成され、同様に前記配線材挿入溝３２Ｂの奥側部分（変換端子５０側の部分）には、その変換端子５０の第１接続部５２が挿入可能な左右方向の端子挿入溝３２ｂが形成されている。
【００４３】
さらに、この配線材保持部３０は、前記各配線材挿入溝３２Ａ，３２Ｂの上下端にランス３４を有している。これらのランス３４は、前記各配線材挿入溝３２Ａ，３２Ｂに挿通されるフレキシブル配線材１０Ａ，１０Ｂの被係止部すなわち前記切欠１８を係止するものである。
【００４４】
具体的に、各ランス３４は、配線材保持部３０の後端部（端子保持部２０と反対側の端部）から前方に向かって延びる片持ち梁状をなし、その自由端部に内向きの係止突起３４ｂを有している。そして、このランス３４自体の弾性撓み変形により、前記係止突起３４ｂが前記各フレキシブル配線材１０Ａ，１０Ｂの切欠１８に嵌まり込む係止位置と、この係止位置から外側に待避する待避位置との間で変位可能となっている。
【００４５】
さらに、この配線材保持部３０は、前記端子保持部２０と完全結合される完全結合位置（図３（ｂ）、図７（ｂ）、図９（ｃ）、図１０（ｂ）、及び図１１（ｂ）に示される位置）と、この完全結合位置よりも手前側の位置であって当該配線材保持部３０に保持されるフレキシブル配線材１０Ａ，１０Ｂと前記端子保持部２０に保持される変換端子４０，５０とが離間する仮結合位置（図３（ａ）、図７（ａ）、図９（ａ）（ｂ）、図１０（ａ）、及び図１１（ａ）に示される位置）との間で移動可能となるように前記端子保持部３０に連結されている。
【００４６】
具体的には、図８，図１０，図１１に示されるように、前記端子保持部２０のフード２６の左右側壁に前後方向に延びる貫通長孔２７及び貫通孔２８が形成される一方、配線材保持部３０の左右両外側面に突起３７，３８が形成されている。そして、前記貫通長孔２７に前記突起３７が嵌まり込むことにより、この貫通長孔２７内で突起３７が変位可能なストローク分だけ端子保持部２０に対して配線材保持部３０が前記完全結合位置と仮結合位置との間で前後方向に移動可能となっており、その完全結合位置で前記突起３８が前記貫通孔２８に嵌まり込むことによって当該完全結合位置に配線材保持部３０がロックされるようになっている。
【００４７】
さらに、前記端子保持部３０は、この端子保持部２０と前記配線材保持部３０とが完全結合されるのに伴ってそのランス３４を前記係止位置に拘束する拘束部を有している。具体的には、前記フード２４の上下側壁の端部に、前記各ランス３４が進入可能な切欠２４ａが形成されるとともに、各切欠２４ａの奥側内側面がその奥側（図７（ａ）（ｂ）では左側）に向かって内側に迫り出す向きの傾斜面２４ｂとされている。一方、各ランス３４の外側面も前記傾斜面２４ｂに対応する傾斜面３４ａとされており、配線材保持部３０が図７（ａ）及び図９（ａ）（ｂ）に示す仮結合位置から図７（ｂ）及び図９（ｃ）に示す完全結合位置に移動するのに伴ってランス３４の傾斜面３４ａが端子保持部２０側の傾斜面２４ｂに上下両外側から押え込まれ、当該ランス３４が前記係止位置に拘束される（すなわち待避位置への変位が規制される）ようになっている。
【００４８】
なお、前記各配線材挿入溝３２Ａ，３２Ｂの内側面には、軸方向に延びる複数本の突条３６が形成されている。これらの突条３６は、前記フレキシブル配線材１０Ａ，１０Ｂの各導体１２同士の間の位置で絶縁層１３，１４の表面に接触する位置に形成され、当該導体１２の表面に発生するウィスカ（金属めっき皮膜表面に発生したヒゲ状の結晶生成物）に起因して導体１２間で短絡が発生するのを防ぐ役割をもつ。
【００４９】
次に、この変換コネクタＴＣを配線部ＷＰの端末に接続する要領を説明する。
【００５０】
まず、端子保持部２０に対して配線材保持部３０を仮結合位置に位置させた状態で、各配線材挿入溝３２Ａ，３２Ｂにそれぞれフレキシブル配線材１０Ａ，１０Ｂの端末を後側（端子保持部２０と反対の側）から挿入していく。このとき、フレキシブル配線材１０Ａ，１０Ｂの先端部がランス３４の係止突起３４ｂに突き当たるが、このランス３４は上下両外側の待避位置に待避可能であるので、当該待避を伴いながら容易にフレキシブル配線材１０Ａ，１０Ｂの挿入を行うことができる。このような挿入が完全に行われると、弾性復帰したランス３４が各フレキシブル配線材１０Ａ，１０Ｂの補強板１６の切欠１８に嵌まり込んで当該フレキシブル配線材１０Ａ，１０Ｂを仮係止する状態となる。
【００５１】
次に、前記配線材保持部３０にフレキシブル配線材１０Ａ，１０Ｂを仮係止したまま当該配線材保持部３０を端子保持部２０に対して前記仮結合位置から完全結合位置（すなわち突起３８が貫通孔２８に嵌まり込む位置）へ相対移動させる。
【００５２】
この完全結合位置への移動に伴い、各配線材挿入溝３２Ａ，３２Ｂの奥側に形成されている端子挿入溝３２ａ，３２ｂ内に端子保持部２０側の各変換端子４０，５０の第１接続部４２，５２が進入することにより、その第１接続部４２の両挟持片４２ａ同士の間にフレキシブル配線材１０Ａの端末が挟持されるとともに第１接続部５２の両ばね挟持片５２同士の間にフレキシブル配線材１０Ｂの端末が挟持される状態となる。すなわち、フレキシブル配線材１０Ａの各導体１２と変換端子４０の第１接続部４２とが接触して両者が電気的に導通された状態になるとともに、フレキシブル配線材１０Ｂの各導体１２と変換端子５０の第１接続部５２とが接触して両者が電気的に導通された状態になる。
【００５３】
また、前記完全結合位置への移動に伴い、各ランス３４の外側の傾斜面３４ａが端子保持部２０側の傾斜面２４ｂに外側から押え込まれて係止位置に拘束されることにより、当該ランス３４による各フレキシブル配線材１０Ａ，１０Ｂの係止がより確実なものとなる。
【００５４】
このようにして配線部ＷＰの端末に変換コネクタＴＣを接続した後は、当該変換コネクタＴＣを図略の相手方コネクタに結合するだけで（すなわち各変換端子４０，５０の第２接続部４４，５４を相手方コネクタの端子に嵌合するだけで）当該変換コネクタＴＣ及び相手方コネクタを介して前記各フレキシブル配線材１０Ａ，１０Ｂを一括して外部回路に接続することができる。すなわち、当該コネクタの結合状態において、各フレキシブル配線材１０Ａ，１０Ｂに含まれる導体１２は変換端子４０，５０及び相手方コネクタの端子を介して外部回路に電気的に接続されることとなる。
【００５５】
なお、本発明は以上示した実施の形態に限られず、例えば次のような形態をとることも可能である。
【００５６】
・図例では２種のフレキシブル配線材１０Ａ，１０Ｂが混在するものを示したが、本発明では単種のフレキシブル配線材のみで構成されたフレキシブルケーブル、または３種以上のフレキシブル配線材が混在するフレキシブルケーブルにも適用が可能である。また、フレキシブル配線材における各導体の具体的な形状も特に問わず、当該形状に応じて変換端子の第１接続部の形状を設定すればよい。
【００５７】
・図１に示すフレキシブルケーブルは、配線部ＷＰの両側端末に変換コネクタＴＣが接続されるものとなっているが、この変換コネクタＴＣが一方の端末にのみ接続されるものであってもよい。例えば他方の端末は回路基板等の外部回路に別の態様で接続されるものであってもよい。
【００５８】
・図例では、ハウジングの端子保持部２０と配線材保持部３０とが相対移動可能となるように連結されるものを示したが、このハウジングは、使用前の状態において前記端子保持部２０と配線材保持部３０とが完全に分離されたものでもよいし、逆に、前記端子保持部２０と配線材保持部３０とが一体に成形されたものでもよい。ただし、図示のように各フレキシブル配線材１０Ａ，１０Ｂを一旦配線材保持部３０に保持させておいてからこの配線材保持部３０を端子保持部２０に結合することにより各導体１２をまとめて各変換端子４０，５０の第１接続部４２，５２に接続するようにすれば、当該接続作業の効率をより高めることが可能になる。
【図面の簡単な説明】
【００５９】
【図１】本発明の実施の形態に係るフレキシブルケーブルの斜視図である。
【図２】前記フレキシブルケーブルに設けられる変換コネクタの分解斜視図である。
【図３】（ａ）は前記変換コネクタの配線材保持部が端子保持部に対して仮結合位置にある状態を示す断面平面図、（ｂ）は同配線材保持部が完全結合位置にある状態を示す断面平面図である。
【図４】（ａ）は図３（ｂ）のＡ部断面図、（ｂ）は図３（ｂ）のＢ部断面図である。
【図５】前記変換コネクタを配線材保持部側から見た正面図である。
【図６】（ａ）は図５のＡ′部拡大図、（ｂ）は図５のＢ′部拡大図である。
【図７】（ａ）は前記変換コネクタの配線材保持部が端子保持部に対して仮結合位置にある状態を示す断面側面図、（ｂ）は同配線材保持部が完全結合位置にある状態を示す断面側面図である。
【図８】（ａ）は前記変換コネクタの配線材保持部が端子保持部に対して仮結合位置にある状態を示す側面図、（ｂ）は同配線材保持部が完全結合位置にある状態を示す側面図である。
【図９】（ａ）は前記変換コネクタの配線材保持部が端子保持部に対して仮結合位置にある状態を示す図であってフレキシブル配線材１０Ａの位置で切断した断面斜視図、（ｂ）は同配線材保持部が同仮結合位置にある状態を示す図であってフレキシブル配線材１０Ｂの位置で切断した断面斜視図、（ｃ）は同配線材保持部が完全結合位置にある状態を示す図であってフレキシブル配線材１０Ａの位置で切断した断面斜視図である。
【図１０】（ａ）（ｂ）は前記変換コネクタを端子保持部側から見た斜視図であって、（ａ）は前記変換コネクタの配線材保持部が端子保持部に対して仮結合位置にある状態を示す斜視図、（ｂ）は同配線材保持部が完全結合位置にある状態を示す斜視図である。
【図１１】（ａ）（ｂ）は前記変換コネクタを配線材保持部側から見た斜視図であって、（ａ）は前記変換コネクタの配線材保持部が端子保持部に対して仮結合位置にある状態を示す斜視図、（ｂ）は同配線材保持部が完全結合位置にある状態を示す斜視図である。
【符号の説明】
【００６０】
ＷＰ    配線部
１０Ａ，１０Ｂ  フレキシブル配線材
１２    導体
１３，１４  絶縁層
１６    補強板
１８    切欠（被係止部）
ＴＣ    変換コネクタ
２０    端子保持部
２２    端子保持壁
２４ｂ  傾斜面（拘束部）
２７    貫通長孔
２８    貫通孔
３０    配線材保持部
３２Ａ，３２Ｂ  配線材挿入溝
３４    ランス（配線材係止部）
３７，３８  突起
４０，５０  変換端子
４２，５２  第１接続部
４２ａ  挟持片
５２ａ  挟持壁
５２ｂ  ばね挟持片
４４，５４  第２接続部
【図１】
2006164797.tif 000003
【図２】
2006164797.tif 000004
【図３】
2006164797.tif 000005
【図４】
2006164797.tif 000006
【図５】
2006164797.tif 000007
【図６】
2006164797.tif 000008
【図７】
2006164797.tif 000009
【図８】
2006164797.tif 000010
【図９】
2006164797.tif 000011
【図１０】
2006164797.tif 000012
【図１１】
2006164797.tif 000013